(57)【要約】      （修正有）【課題】運転室に取り付けられたスライドドアの全開状態又は全閉状態において、運転室からの衝撃又は振動による振れや遊動を抑える。【解決手段】出入口が開設される外側壁に備えられる上部レール４及び下部レール５と、それに係合される上部ローラ７及び下部ローラ８により出入口を開閉させるスライドドア３と、スライドドア３が完全に開放される開位置の外側壁に設けられ、スライドドア３が完全に開放されると上部ローラ７に接触することになり、上部ローラ７との接触時、弾性支持されたパッドの加圧によりスライドドア３の振れを防止する開位置の上部ストッパ２１と、スライドドア３が完全に開放される開位置の外側壁に設けられ、スライドドア３が完全に開放されると下部ローラ８に接触することになり、下部ローラ８との接触時、弾性支持されたパッドの加圧によりスライドドア３の振れを防止する開位置の下部ストッパ２３とにより振れや遊動を抑える。【選択図】図５
2008120365.tif 000002
【特許請求の範囲】
【請求項１】
建設装備用運転室において、
出入口が開設される外側壁と、
前記外側壁の上部及び下部に備えられる上部レール及び下部レールと、
前記上部レール及び下部レールに係合される上部ローラ及び下部ローラによりスライド移動されることで出入口を開閉させるスライドドアと、
前記スライドドアが完全に開放される開位置の外側壁に設けられ、スライドドアが完全に開放されると上部ローラに接触することになり、上部ローラとの接触時、Ｘ軸方向に変位が生ずるように弾性支持されたパッドの加圧によりスライドドアの振れを防止する開位置の上部ストッパと、
前記スライドドアが完全に開放される開位置の外側壁に設けられ、スライドドアが完全に開放されると下部ローラに接触することになり、下部ローラとの接触時、Ｘ軸方向に変位が生ずるように弾性支持されたパッドの加圧によりスライドドアの振れを防止する開位置の下部ストッパとを含めることを特徴とする建設装備用運転室。
【請求項２】
建設装備用運転室において、
出入口が開設される外側壁と、
前記外側壁の上部及び下部に備えられる上部レール及び下部レールと、
前記上部レール及び下部レールに係合される上部ローラ及び下部ローラによりスライド移動されることで出入口を開閉させるスライドドアと、
前記スライドドアが完全に開放される開位置の外側壁に設けられ、スライドドアが完全に開放されると上部ローラに接触することになり、上部ローラとの接触時、Ｘ軸方向に変位が生ずるように弾性支持されたパッドの加圧によりスライドドアの振れを防止する開位置の上部ストッパと、
前記スライドドアが完全に開放される開位置の外側壁に設けられ、スライドドアが完全に開放されると下部ローラに接触することになり、下部ローラとの接触時、Ｘ軸方向に変位が生ずるように弾性支持されたパッドの加圧によりスライドドアの振れを防止する開位置の下部ストッパと、
前記スライドドアが完全に閉鎖される閉位置の外側壁に設けられ、スライドドアが完全に閉鎖されると上部ローラに接触することになり、上部ローラとの接触時、Ｘ軸方向に変位が生ずるように弾性支持されたパッドの加圧によりスライドドアの振れを防止する閉位置の上部ストッパと、
前記スライドドアが完全に閉鎖される閉位置の外側壁に設けられ、スライドドアが完全に閉鎖されると下部ローラに接触することになり、下部ローラとの接触時、Ｘ軸方向に変位が生ずるように弾性支持されたパッドの加圧によりスライドドアの振れを防止する閉位置の下部ストッパとを含めることを特徴とする建設装備用運転室。
【請求項３】
建設装備用運転室において、
出入口が開設される外側壁と、
前記外側壁の上部、中央及び下部に備えられる上部レール、中央レール、及び下部レールと、
前記上部レール、中央レール及び下部レールにそれぞれ係合される上部ローラ、中央ローラ及び下部ローラによりスライド移動されることで出入口を開閉させるスライドドアと、
前記スライドドアが完全に開放される開位置の外側壁に設けられ、スライドドアが完全に開放されると上部ローラに接触することになり、上部ローラとの接触時、Ｘ軸方向に変位が生ずるように弾性支持されたパッドの加圧によりスライドドアの振れを防止する開位置の上部ストッパと、
前記スライドドアが完全に開放される開位置の外側壁に設けられ、スライドドアが完全に開放されると中央ローラに接触することになり、中央ローラとの接触時、Ｘ軸方向に変位が生ずるように弾性支持されたパッドの加圧によりスライドドアの振れを防止する開位置の中央ストッパと、
前記スライドドアが完全に開放される開位置の外側壁に設けられ、スライドドアが完全に開放されると下部ローラに接触することになり、下部ローラとの接触時、Ｘ軸方向に変位が生ずるように弾性支持されたパッドの加圧によりスライドドアの振れを防止する開位置の下部ストッパとを含めることを特徴とする建設装備用運転室。
【請求項４】
前記上部ストッパと下部ストッパのうちに少なくとも何れかの一つは、
前記外側壁に取り付けられるケースと、
前記ケースを貫通して固定されたガイドに位置移動可能に組み合わせられ、スライドドアが開く方向にその上面が上向きに傾斜したパッドと、
前記パッドの前後方向のガイド外側面に設けられ、スライドドアの全開時、上部ローラと下部ローラのうちに何れかの一つと接触するパッドを弾性復元力により加圧することによって、スライドドアを固定せしめる弾性部材とを含めることを特徴とする請求項１に記載の建設装備用運転室。
【請求項５】
前記上部ストッパ、中央ストッパ、下部ストッパのうちに少なくとも何れかの一つは、
前記外側壁に取り付けられるケースと、
前記ケースを貫通して固定されたガイドに位置移動可能に組み合わせられ、スライドドアが開く方向にその上面が上向きに傾斜したパッドと、
前記パッドの前後方向のガイド外側面に設けられ、スライドドアの全開時、上部ローラ、中央ローラ及び下部ローラのうちに何れかの一つと接触するパッドを弾性復元力により加圧することによって、スライドドアを固定せしめる弾性部材とを含めることを特徴とする請求項３に記載の建設装備用運転室。
【請求項６】
前記上部ストッパ又は下部ストッパは、
前記上部ローラ又は下部ローラの個数に相応して外側壁に設けられることを特徴とする請求項１に記載の建設装備用運転室。
【請求項７】
前記上部ストッパ又は下部ストッパは、
前記上部ローラ又は下部ローラの個数に相応して外側壁に設けられることを特徴とする請求項２に記載の建設装備用運転室。
【請求項８】
前記上部ストッパ、中央ストッパ又は下部ストッパは、
前記上部ローラ、中央ローラ又は下部ローラの個数に相応して外側壁に設けられることを特徴とする請求項３に記載の建設装備用運転室。
【請求項９】
前記上部ストッパは、
前記スライドドアの全開時、前記パッドにより上部ローラをＸ軸及びＹ軸方向に加圧するように設けられ、スライドドアのＸ軸及びＹ軸方向に振れることを防止することを特徴とする請求項１に記載の建設装備用運転室。
【請求項１０】
前記上部ストッパは、
前記スライドドアの全開時、前記パッドにより上部ローラをＸ軸及びＹ軸方向に加圧するように設けられ、スライドドアのＸ軸及びＹ軸方向への振れを防止し、
前記スライドドアの全閉時、前記パッドにより上部ローラをＸ軸及びＹ軸方向に加圧するように設けられ、スライドドアのＸ軸及びＹ軸方向への振れを防止することを特徴とする請求項２に記載の建設装備用運転室。
【請求項１１】
前記上部ストッパは、
前記スライドドアの全開時、前記パッドにより上部ローラをＸ軸及びＹ軸方向に加圧するように設けられ、スライドドアのＸ軸及びＹ軸方向への振れを防止することを特徴とする請求項３に記載の建設装備用運転室。
【請求項１２】
前記下部ストッパは、
前記スライドドアの全開時、パッドにより第１下部ローラをＸ軸及びＺ軸方向に加圧するように設けられ、スライドドアのＸ軸及びＺ軸方向への振れを防止する第１下部ストッパと、
前記スライドドアの全開時、パッドにより第２下部ローラをＸ軸及びＹ軸方向に加圧するように設けられ、スライドドアのＸ軸及びＹ軸方向への振れを防止する第２下部ストッパとを含めることを特徴とする請求項１に記載の建設装備用運転室。
【請求項１３】
前記下部ストッパは、
前記スライドドアの全開時、パッドにより第１下部ローラをＸ軸及びＺ軸方向に加圧するように設けられ、スライドドアのＸ軸及びＺ軸方向への振れを防止する第１下部ストッパと、
前記スライドドアの全開時、パッドにより第２下部ローラをＸ軸及びＹ軸方向に加圧するように設けられ、スライドドアのＸ軸及びＹ軸方向への振れを防止する第２下部ストッパと、
前記スライドドアの全閉時、パッドにより第１下部ローラをＸ軸及びＺ軸方向に加圧するように設けられ、スライドドアのＸ軸及びＺ軸方向への振れを防止する第１下部ストッパと、
前記スライドドアの全閉時、パッドにより第２下部ローラをＸ軸及びＹ軸方向に加圧するように設けられ、スライドドアのＸ軸及びＹ軸方向への振れを防止する第２下部ストッパとを含めることを特徴とする請求項２に記載の建設装備用運転室。
【請求項１４】
前記下部ストッパは、
前記スライドドアの全開時、パッドにより第１下部ローラをＸ軸及びＺ軸方向に加圧するように設けられ、スライドドアのＸ軸及びＺ軸方向への振れを防止する第１下部ストッパと、
前記スライドドアの全開時、パッドにより第２下部ローラをＸ軸及びＹ軸方向に加圧するように設けられ、スライドドアのＸ軸及びＹ軸方向への振れを防止する第２下部ストッパとを含めることを特徴とする請求項３に記載の建設装備用運転室。
【請求項１５】
前記中央ストッパは、
前記スライドドアの全開時、パッドにより第１中央ローラをＸ軸及びＺ軸方向に加圧するように設けられ、スライドドアのＸ軸及びＺ軸方向への振れを防止する第１中央ストッパと、
前記スライドドアの全開時、パッドにより第２中央ローラをＸ軸及びＹ軸方向に加圧するように設けられ、スライドドアのＸ軸及びＹ軸方向への振れを防止する第２中央ストッパとを含めることを特徴とする請求項３に記載の建設装備用運転室。
【請求項１６】
前記上部ストッパ又は下部ストッパを外側壁に対してＸ軸又はＺ軸方向に位置移動させて固定せしめることが可能となるように、ケースを外側壁に取り付けるためのブラケットに長孔形状からなる取付孔を備えることを特徴とする請求項４に記載の建設装備用運転室。
【請求項１７】
前記上部ストッパ、中央ストッパ及び下部ストッパのうちに何れかの一つを、外側壁に対してＸ軸又はＺ軸方向に位置移動させて固定せしめることが可能となるように、ケースを外側壁に取り付けるためのブラケットに長孔形状からなる取付孔を備えることを特徴とする請求項５に記載の建設装備用運転室。
【請求項１８】
前記外側壁の上部又は下部に設けられ、スライドドアの全開時、スライドドアの側面と面接触されることにより、スライドドアのＸ軸方向への振れを抑えるサポータをさらに含めることを特徴とする請求項１に記載の建設装備用運転室。
【請求項１９】
前記外側壁の上部又は下部に設けられ、スライドドアの全開時、スライドドアの側面と面接触されることにより、スライドドアのＸ軸方向への振れを抑えるサポータをさらに含めることを特徴とする請求項２に記載の建設装備用運転室。
【請求項２０】
前記外側壁の上部又は下部に設けられ、スライドドアの全開時、スライドドアの側面と面接触されることにより、スライドドアのＸ軸方向への振れを抑えるサポータをさらに含めることを特徴とする請求項３に記載の建設装備用運転室。
【請求項２１】
前記スライドドアの後方内側面に備えられるストッパバーホルダと、
前記スライドドアが完全に開放されるとストッパバーホルダに結合されるように外側壁に設けられ、スライドドアの全開時、ストッパバーホルダをロックさせることによって、スライドドアのＸ軸及びＹ軸方向への振れを防止するストッパバーと、
前記ストッパバーに隣接して設けられ、前記スライドドアの全開時、前記スライドドアに設けられたロッキングプレートによりロックされるロックストライカとをさらに含めることを特徴とする請求項１に記載の建設装備用運転室。
【請求項２２】
前記スライドドアの後方内側面に備えられるストッパバーホルダと、
前記スライドドアが完全に開放されるとストッパバーホルダに結合されるように外側壁に設けられ、スライドドアの全開時、ストッパバーホルダをロックさせることによって、スライドドアのＸ軸及びＹ軸方向への振れを防止するストッパバーと、
前記ストッパバーに隣接して設けられ、前記スライドドアの全開時、前記スライドドアに設けられたロッキングプレートによりロックされるロックストライカとをさらに含めることを特徴とする請求項２に記載の建設装備用運転室。
【請求項２３】
前記スライドドアの後方内側面に備えられるストッパバーホルダと、
前記スライドドアが完全に開放されるとストッパバーホルダに結合されるように外側壁に設けられ、スライドドアの全開時、ストッパバーホルダをロックさせることによって、スライドドアのＸ軸及びＹ軸方向への振れを防止するストッパバーと、
前記ストッパバーに隣接して設けられ、前記スライドドアの全開時、前記スライドドアに設けられたロッキングプレートによりロックされるロックストライカをとさらに含めることを特徴とする請求項３に記載の建設装備用運転室。
【請求項２４】
前記ケースは、
前記パッドを中心としてケースの前後方向に対向するように形成され、前記上部ローラ又は下部ローラがスライドドアの移動によりパッドの傾斜面に接触することになれば、パッドのＸ軸方向に直線移動をガイドする一対の隔壁部材をさらに含めることを特徴とする請求項４に記載の建設装備用運転室。
【請求項２５】
前記ケースは、
前記パッドを中心としてケースの前後方向に対向するように形成され、前記上部ローラ、中央ローラ及び下部ローラのうちに何れかの一つがスライドドアの移動によりパッドの傾斜面に接触することになれば、パッドのＸ軸方向に直線移動をガイドする一対の隔壁部材をさらに含めることを特徴とする請求項５に記載の建設装備用運転室。
【請求項２６】
前記ストッパバーホルダは、プラスチック材からなることを特徴とする請求項２１乃至２３のうちに何れかの一つに記載の建設装備用運転室。
【請求項２７】
前記パッドは、プラスチック材からなることを特徴とする請求項１乃至３のうちに何れかの一つに記載の建設装備用運転室。
【請求項２８】
前記サポータは、プラスチック材からなることを特徴とする請求項１８乃至２０のうちに何れかの一つに記載の建設装備用運転室。
【請求項２９】
前記弾性部材は、前記パッド前後方向のガイドにそれぞれ設けられることを特徴とする請求項４又は５に記載の建設装備用運転室。
【請求項３０】
前記弾性部材は、前記パッドが加圧される方向のガイドに設けられることを特徴とする請求項４又は５に記載の建設装備用運転室。
【請求項３１】
前記弾性部材を前記パッドの前後方向のガイドにそれぞれ設けるが、前記パッド前方のガイドに設けられる弾性部材は、前記パッド後方の弾性部材より相対的に強度が高く、且つ、設置場所がパッド前方のガイドの長さの一部に設けられることを特徴とする請求項４又は５に記載の建設装備用運転室。
【請求項３２】
前記上部ストッパ又は下部ストッパは、前記スライドドアが完全に開放される開位置の上部レール又は下部レールの内側端部にそれぞれ位置するように設けられることを特徴とする請求項１に記載の建設装備用運転室。
【請求項３３】
開位置の上部ストッパ又は下部ストッパは、
前記スライドドアが完全に開放される開位置の上部レール又は下部レールの内側端部にそれぞれ位置するように設けられ、
閉位置の上部ストッパ又は下部ストッパは、前記スライドドアが完全に閉鎖される閉位置の上部レール又は下部レールの内側端部にそれぞれ位置するように設けられることを特徴とする請求項２に記載の建設装備用運転室。
【請求項３４】
前記上部ストッパ、中央ストッパ及び下部ストッパは、前記スライドドアが完全に開放される開位置の上部レール、中央レール及び下部レールの内側端部にそれぞれ位置するように設けられることを特徴とする請求項３に記載の建設装備用運転室。
【発明の詳細な説明】
【技術分野】
【０００１】
本発明は、運転室に取付けられたスライドドアの全閉(完全に閉鎖された状態)又は全開(完全に開放された状態)時、運転室に伝わる振動などによるスライドドアの振れや遊動を抑止することが可能となる建設装備用運転室に関する。
【０００２】
さらに詳しくは、スライドドアの開放状態又は閉鎖状態で運転室からの衝撃又は振動によるスライドドアのＸ軸、Ｙ軸、Ｚ軸方向への振れや遊動を抑えることが可能な建設装備用運転室に関するものである。
【０００３】
ここで、前述したＸ軸方向とは、運転室の前後方向(スライドドアが開閉される前後方向)を意味し、Ｙ軸方向とは、運転室の左右方向を意味する。さらに、Ｚ軸方向とは、運転室の上下方向を意味する。
【背景技術】
【０００４】
一般に、掘削機などのような建設装備において、作業時、オペレータの視野を確保すると共に運転室内の換気を図るべく、運転室のドアを開放させた上で作業を行う場合が頻繁にあった。特に、市内や狭い場所での作業時にヒンジ式に開閉される運転室のドアを開放させたまま、旋回駆動を行うと作業現場の周辺にある障害物などに干渉する恐れがあった。
【０００５】
それ故に、図１に示されたように、運転室ドアを含めた運転室外側壁が円弧形状をなすと共に、ドアの開放時、運転室の旋回半径内に納められ、スライド開閉されるドアが取り付けられた運転室を使用することになった。
【０００６】
図１ないし図３Ｄに示されたように、特許文献１に記載のスライドドア３が外側壁２ａ上をスライド移動する運転室２は、外側壁２ａの上部、下部、中央に形設される複数のレール４、５、６と、ドア３に取り付けられ、出入口２ｂが閉じる閉位置と、出入口２ｂが開く開位置との間をドア３がスライド移動する際、ドア３を支持する複数のローラ７、８、９と、雌ストライカ１０、１２と雄ストライカ１１、１３とを含んで、各ストライカセットの何れかの一つはドア３に設けられると共に、他の一つは外側壁２ｃに設けられ、ドア３が閉位置にある時には少なくとも一対が係合する一方、ドア３が完全に開位置にある時には少なくとも一対が係合するように設けられる複数組のストライカとを含んで、ストライカセットの少なくとも一対は、ドア３の全開時、ドア３の前面端で係合するように設けられ、少なくとも他の一対は、ドア３の全開時、ドア３の後面端で係合するように設けられる。  
【０００７】
図２に示されたように、上部ローラ７は、ドア３の開閉時、上部レール４に沿って移動するガイドローラ７ａを含む。下部ローラ８は、ドア３の開閉時、下部レール５に沿ってＸ軸方向に転動し、ドア３の荷重を支持する転がりローラ８ａ及び、Ｙ軸方向に転動し、下部レール５からドア３の離脱を防止するガイドローラ８ｂとを含める。
【０００８】
図３Ｃに示されたように、ドア３に取り付けられた中央ローラ９は、ドア３の開閉時、Ｘ軸方向に転動し、ドア３の荷重を支持する転がりローラ９ａと、ドア３の開閉時、Ｙ軸方向に転動し、中央レール６からドア３の離脱を防止するガイドローラ９ｂとを含める。
【０００９】
前述したスライドドア３の全開又は全閉状態で作業が行われると、運転室２に伝わる衝撃や振動によりドア３が左右方向に振れるか、又は上下方向に遊動が生ずる。これにより、オペレータが作業に集中することが難しく、作業性が劣り、セキュリティー上の問題が生じ得る。
【００１０】
これに鑑みて、ドア３を完全に開放させた状態(図３Ｂ参照)又は閉鎖させた状態で(図３Ａ参照)作業を行う場合、運転室２に伝わる振動などによるドア３の振れを防止すると共に、着脱可能に支持することができるように雌雄からなる複数のストライカ１０、１１、１２、１３、１４、１５をドア３と運転室２とにそれぞれ設けた(図１及び図２参照)。
【００１１】
図１に示されたように、ドア３を開放ロックするか、又はドア３を閉位置にロックすることが可能となるようにロッキングストライカ１６、１７をドア３と運転室２とにそれぞれ設けた。ここで、ロッキングストライカ１６は、出入口２ｂに近接する位置に設けられる一方、ロッキングストライカ１７は、出入口２ｂから遠くなる位置に設けられる。
【００１２】
従来技術による建設装備用運転室の構造は、運転室２に対してドア３を全開状態又は全閉状態に保持することができるように複数組の雌雄からなるストライカ１０、１１、１２、１３、１４、１５(図１及び図２参照)と、ロッキングストライカ１６、１７(図１参照)とを運転室２とドア３とに設ける。このことから、部品点数の増加によるコスト増を招くと共に、これらを取り付けるための作業時間及び作業工数の増加により作業能率が低下するという問題があった。
【００１３】
しかも、運転室２とドア３に取り付けられたストライカ１０、１１、１２、１３、１４、１５と、ロッキングストライカ１６、１７とが外部に露出されることから、車両の外観美を損なうという問題もあった。
【００１４】
また、図３Ｄに示されたように、ドア３を運転室２に開き状態に固定する場合、ドア３の開放方向(図面上、Ｘ軸方向をいう)へ生じ得る衝撃又は振動などを雌雄ストライカ１４、１５の構造により、吸収または抑止することができる。
【００１５】
しかし、ドア３の上下方向(図面上、Ｚ軸方向をいう)に生ずる衝撃又は振動を効率よく抑止ことはできなかった。また、ドア３の左右方向(図面上、Ｙ軸方向をいう)に生ずる衝撃又は振動をも効果的に抑えることができないという不具合があった。
【００１６】
さらに、ドア３を開放ロックするための雌雄ストライカ１４、１５の部品寸法があまりにも大きいため、運転室２の外部に多く突出されることにより建設車両の外観を損ねてしまう問題があった。
【００１７】
【特許文献１】米国特許第５５７７７９５号明細書
【発明の開示】
【発明が解決しようとする課題】
【００１８】
本発明の実施例は、スライドドアの全開又は全閉状態において、運転室からの衝撃又は振動によるスライドドアの３方向(Ｘ軸、Ｙ軸、Ｚ軸方向をいう)への振れを抑止することから、オペレータは作業に集中することが可能となる建設装備用運転室に関連する。
【００１９】
また、本発明の実施例は、運転室とスライドドアとの間で生じ得る製造偏差、ストッパ用パッドに磨耗が起きる場合、ストッパの固定位置を微細に変更することができる建設装備用運転室に関連する。
【００２０】
さらに、本発明の実施例は、ストッパの構造を簡単かつ容易にすることから、製造コストを削減すると共に、運転室の外部へストッパが突出することを最小限に抑えた建設装備用運転室に関連する。
【課題を解決するための手段】
【００２１】
本発明の一実施例による建設装備用運転室は、建設装備用運転室において、
出入口が開設される外側壁と、
外側壁の上部及び下部に備えられる上部レール及び下部レールと、
上部レール及び下部レールに係合される上部ローラ及び下部ローラによりスライド移動されることで出入口を開閉させるスライドドアと、
スライドドアが完全に開放される開位置の外側壁に設けられ、スライドドアが完全に開放されると上部ローラに接触することになり、上部ローラとの接触時、Ｘ軸方向に変位が生ずるように弾性支持されたパッドの加圧によりスライドドアの振れを防止する開位置の上部ストッパと、
スライドドアが完全に開放される開位置の外側壁に設けられ、スライドドアが完全に開放されると下部ローラに接触することになり、下部ローラとの接触時、Ｘ軸方向に変位が生ずるように弾性支持されたパッドの加圧によりスライドドアの振れを防止する開位置の下部ストッパとを含める。
【００２２】
本発明の他の実施例による建設装備用運転室は、建設装備用運転室において、出入口が開設される外側壁と、
外側壁の上部及び下部に備えられる上部レール及び下部レールと、
上部レール及び下部レールに係合される上部ローラ及び下部ローラによりスライド移動されることで出入口を開閉させるスライドドアと、
スライドドアが完全に開放される開位置の外側壁に設けられ、スライドドアが完全に開放されると上部ローラに接触することになり、上部ローラとの接触時、Ｘ軸方向に変位が生ずるように弾性支持されたパッドの加圧によりスライドドアの振れを防止する開位置の上部ストッパと、
スライドドアが完全に開放される開位置の外側壁に設けられ、スライドドアが完全に開放されると下部ローラに接触することになり、下部ローラとの接触時、Ｘ軸方向に変位が生ずるように弾性支持されたパッドの加圧によりスライドドアの振れを防止する開位置の下部ストッパと、
スライドドアが完全に閉鎖される閉位置の外側壁に設けられ、スライドドアが完全に閉鎖されると上部ローラに接触することになり、上部ローラとの接触時、Ｘ軸方向に変位が生ずるように弾性支持されたパッドの加圧によりスライドドアの振れを防止する閉位置の上部ストッパと、
スライドドアが完全に閉鎖される閉位置の外側壁に設けられ、スライドドアが完全に閉鎖されると下部ローラに接触することになり、且つ、下部ローラとの接触時、Ｘ軸方向に変位が生ずるように弾性支持されたパッドの加圧によりスライドドアの振れを防止する閉位置の下部ストッパとを含める。
【００２３】
本発明のさらに他の実施例による建設装備用運転室は、建設装備用運転室において、出入口が開設される外側壁と、
外側壁の上部、中央及び下部に備えられる上部レール、中央レール及び下部レールと、
上部レール、中央レール及び下部レールに係合される上部ローラ、中央ローラ及び下部ローラによりスライド移動されることによって出入口を開閉させるスライドドアと、
スライドドアが完全に開放される開位置の外側壁に設けられ、スライドドアが完全に開放されると上部ローラに接触することになり、上部ローラとの接触時、Ｘ軸方向に変位が生ずるように弾性支持されたパッドの加圧によりスライドドアの振れを防止する開位置の上部ストッパと、
スライドドアが完全に開放される開位置の外側壁に設けられ、スライドドアが完全に開放されると中央ローラに接触することになり、中央ローラとの接触時、Ｘ軸方向に変位が生ずるように弾性支持されたパッドの加圧によりスライドドアの振れを防止する開位置の中央ストッパと、
スライドドアが完全に開放される開位置の外側壁に設けられ、スライドドアが完全に開放されると下部ローラに接触することになり、下部ローラとの接触時、Ｘ軸方向に変位が生ずるように弾性支持されたパッドの加圧によりスライドドアの振れを防止する開位置の下部ストッパとを含める。
【００２４】
前述した上部ストッパと下部ストッパのうちに、少なくとも何れかの一つは、外側壁に取り付けられるケースと、ケースを貫通して固定されたガイドに位置移動可能に組み合わせられ、スライドドアの開方向又は閉方向にその上面が上向きに傾斜したパッドと、パッド前後方向のガイド外側面に設けられ、スライドドアの全開時又は全閉時、上部ローラと下部ローラのうちに何れかの一つと接触するパッドを弾性復元力により加圧することによって、スライドドアを固定せしめる弾性部材とを含める。
【００２５】
前述した上部ストッパ、中央ストッパ及び下部ストッパのうちに、少なくとも何れかの一つは、外側壁に取り付けられるケースと、
ケースを貫通して固定されたガイドに位置移動可能に組み合わせられ、スライドドアの開く方向にその上面が上向きに傾斜したパッドと、
パッド前後方向のガイド外側面に設けられ、スライドドアの全開時、上部ローラ、中央ローラ、下部ローラのうちに何れかの一つと接触するパッドを弾性復元力により加圧することによって、スライドドアを固定せしめる弾性部材とを含める。
【００２６】
前述した上部ストッパ、中央ストッパ又は下部ストッパは、上部ローラ、中央ローラ又は下部ローラの個数にそれぞれ相応して外側壁に設けられる。
【００２７】
前述した弾性部材は、パッド前後方向のガイドにそれぞれ設けられる。
【００２８】
前述した弾性部材は、パッドが加圧される方向のガイドに設けられる。
【００２９】
前述した弾性部材をパッド前後方向のガイドにそれぞれ設けるが、パッド前方のガイドに設置の弾性部材は、パッド後方の弾性部材より相対的に強度が高く、且つ、その設置場所がパッド前方のガイドの長さの一部に設けられる。
【００３０】
前述した上部ストッパは、スライドドアの全開時又は全閉時、パッドにより上部ローラをＸ軸及びＹ軸方向に加圧するように設けられ、スライドドアのＸ軸及びＹ軸方向への振れを防止する。
【００３１】
前述した下部ストッパは、スライドドアの全開時、パッドにより第１下部ローラをＸ軸及びＺ軸方向に加圧するように設けられ、スライドドアのＸ軸及びＺ軸方向への振れを防止する第１下部ストッパと、前記スライドドアの全開時、パッドにより第２下部ローラをＸ軸及びＹ軸方向に加圧するように設けられ、スライドドアのＸ軸及びＹ軸方向への振れを防止する第２下部ストッパとを含める。
【００３２】
前述した中央ストッパは、スライドドアの全開時、パッドにより第１中央ローラをＸ軸及びＺ軸方向に加圧するように設けられ、スライドドアのＸ軸及びＺ軸方向への振れを防止する第１中央ストッパと、スライドドアの全開時、パッドにより第２中央ローラをＸ軸及びＹ軸方向に加圧するように設けられ、スライドドアのＸ軸及びＹ軸方向への振れを防止する第２中央ストッパとを含める。
【００３３】
前述した上部ストッパ、中央ストッパ及び下部ストッパのうちに、何れかの一つを外側壁に対してＸ軸又はＺ軸方向に位置移動させて固定せしめることができるように、ケースを外側壁に取り付けるためのブラケットに長孔形状からなる取付孔を備える。
【００３４】
前述した外側壁の上部又は下部に設けられ、スライドドアの全開時、スライドドアの側面と面接触されることにより、スライドドアのＸ軸方向への振れを防止するサポータをさらに含める。
【００３５】
前述したスライドドアの後方内側面に備えられるストッパバーホルダと、
スライドドアが完全に開放された場合、ストッパバーホルダに結合されるように外側壁に設けられ、スライドドアの全開時、ストッパバーホルダをロックさせることによりスライドドアのＸ軸及びＹ軸方向への振れを防止するストッパバーと、ストッパバーに隣接して設け、スライドドアの全開時、スライドドアに設けられたロッキングプレートによりロックされるロックストライカとをさらに含める。
【００３６】
前述したケースは、パッドを中心としてケースの前後方向に対向するように形設され、スライドドアの全開時又は全閉時、上部ローラ、中央ローラ及び下部ローラのうちに何れかの一つがスライドドアの移動によりパッドの傾斜面に接触することになれば、パッドのＸ軸方向に直線移動をガイドする一対の隔壁部材をさらに含める。
【００３７】
前述したストッパバーホルダは、プラスチック材からなる。
【００３８】
前述したパッドは、プラスチック材からなる。
【００３９】
前述したサポータは、プラスチック材からなる。
【００４０】
前述した上部ストッパ、中央ストッパ、下部ストッパは、スライドドアが完全に開放される開位置の上部レール、中央レール又は下部レールの内側端部にそれぞれ位置するように備えられる。
【００４１】
開位置の上部ストッパ又は下部ストッパは、スライドドアが完全に開放される開位置の上部レール又は下部レールの内側端部にそれぞれ位置するように設けられ、且つ、閉位置の上部ストッパ又は下部ストッパは、スライドドアが完全に閉鎖される閉位置の上部レール又は下部レールの内側端部にそれぞれ位置するように設けられる。
【発明の効果】
【００４２】
以上述べたように、本発明の実施例による建設装備用運転室は、次のような効果を奏する。先ず、スライドドアの全開状態又は全閉状態において、運転室からの衝撃又は振動によるスライドドアの３方向(Ｘ軸、Ｙ軸、Ｚ軸方向を云う)への振れを防止することが可能となることから、オペレータは、作業に集中することができる。
【００４３】
また、運転室とスライドドアとの製造偏差、ストッパ用のパッドに磨耗が生ずる場合、ストッパの取付け位置を微細に変更することができるから、スライドドアの開状態又は閉状態において、スライドドアの振れが常時抑止できる。さらに、ストッパの構造を簡単に構成することから、コスト削減を図ることができ、且つ、運転室の外部にストッパが突出されることを最小限に抑え、建設装備の外観美を向上させることができる。
【発明を実施するための最良の形態】
【００４４】
以下、本発明の望ましい実施例を添付図面に基づいて説明するが、これは本発明の属する技術分野において通常の知識を有する者が発明を容易に実施することができる程度内にて詳しく説明するためのものであって、これにより本発明の技術的思想及び範疇に限定されることを意味するものではない。
【００４５】
図４、図５、図６、図８及び 図９に示されたように、本発明の一実施例による建設装備用運転室は(スライドドア３の全開時、上部ストッパ２１と下部ストッパ２３とによりスライドドア３の振れを防止する場合について述べる)、出入口２ｂが形成され、外側面が円弧形状からなる外側壁２ａと、外側壁２ａの上部及び下部に設けられる上部レール４及び下部レール５と、上部レール４及び下部レール５に係合される上部ローラ７及び下部ローラ８によりスライド移動されることで出入口２ｂを開閉させるスライドドア３と、スライドドア３が完全に開放される開位置の外側壁２ａに設けられ、スライドドア３が完全に開放されると上部ローラ７に接触することになり、且つ、上部ローラ７との接触時、Ｘ軸方向に変位が生ずるように弾性支持されたパッド２０の加圧によりＸ軸及びＹ軸方向にスライドドア３の振れを防止する開位置の上部ストッパ２１と、スライドドア３が完全に開放される開位置の外側壁２ａに設けられ、スライドドア３が完全に開放されると下部ローラ８に接触することになり、且つ、下部ローラ８との接触時、Ｘ軸方向に変位が生ずるように弾性支持されたパッド２０の加圧によりＸ軸、Ｙ軸及びＺ軸方向にスライドドア３の振れを防止する開位置の下部ストッパ２３とを含める。
【００４６】
前述した外側壁２ａの上部又は下部に設けられ、スライドドア３の全開時、スライドドア３の側面と面接触されることによって、スライドドア３のＸ軸方向への振れを防止するサポータ３２をさらに含める。
【００４７】
前述したスライドドア３の後方内側面に備えられるプラスチック材の‘コ’字状からなる結合片３３ａが上下側に形成されるリアストッパバーホルダ３３と、スライドドア３が全開されると結合片３３ａが固定できるように外側壁２ａに上下方向に設けられ、スライドドア３の全開時、ストッパバーホルダ３３をロックさせることによって、スライドドア３のＸ軸及びＹ軸方向への振れを防止するストッパバー３４と、ストッパバー３４に隣接して設けられ、スライドドア３の全開時、スライドドア３に備えられたロッキングプレート(図示せず)によりロックされるロックストライカ４０とをさらに含める。
【００４８】
前述したリアストッパバーホルダ３３は、スライドドア３の垂直方向の中央に設けられており、ストッパバー３４は、スライドドア３を開放位置でロックすることができるように、スライドドア３の全開時に出入口２ｂから遠くなる位置の外側壁２ａに設けられる。
【００４９】
図４、図６、図８、図９及び図１１に示されたように、本発明の他の実施例による建設装備用運転室は(スライドドア３の全開時と全閉時、上部ストッパ２１、１２１と下部ストッパ２３、１２３とにより、スライドドア３の振れを防止することについて述べる)、
出入口２ｂが形成され、外側面が円弧形状からなる外側壁２ａと、外側壁２ａの上部及び下部に設けられる上部レール４及び下部レール５と、上部レール４及び下部レール５に係合される上部ローラ７及び下部ローラ８によりスライド移動されることで出入口２ｂを開閉させるスライドドア３と、
スライドドア３が完全に開放される開位置の外側壁２ａに設けられ、スライドドア３が完全に開放されると上部ローラ７に接触することになり、且つ、上部ローラ７との接触時、Ｘ軸方向に変位が生ずるように弾性支持されたパッド２０の加圧によりＸ軸及びＹ軸方向にスライドドア３の振れを防止する開位置の上部ストッパ２１と、
スライドドア３が完全に開放される開位置の外側壁２ａに設けられ、スライドドア３が完全に開放されると下部ローラ８に接触することになり、且つ、下部ローラ８との接触時、Ｘ軸方向に変位が生ずるように弾性支持されたパッド２０の加圧によりＸ軸、Ｙ軸及びＺ軸方向にスライドドア３の振れを防止する開位置の下部ストッパ２３と、
スライドドア３が完全に閉鎖される閉位置の外側壁２ａに設けられ、スライドドア３が完全に閉鎖されると上部ローラ７に接触することになり、且つ、上部ローラ７との接触時、Ｘ軸方向に変位が生ずるように弾性支持されたパッド２０の加圧によりＸ軸及びＹ軸方向にスライドドア３の振れを防止する閉位置の上部ストッパ１２１と、
スライドドア３が完全に閉鎖される閉位置の外側壁２ａに設けられ、スライドドア３が完全に閉鎖されると下部ローラ８に接触することになり、且つ、下部ローラ８との接触時、Ｘ軸方向に変位が生ずるように弾性支持されたパッド２０の加圧によりＸ軸、Ｙ軸及びＺ軸方向にスライドドア３の振れを防止する閉位置の下部ストッパ１２３とを含める。
【００５０】
つまり、スライドドア３を完全に開放させた場合、開位置の上部ストッパ２１のパッド２０により上部ローラ７を加圧することによって、Ｘ軸及びＹ軸方向にスライドドア３の振れを抑止すると共に、開位置の下部ストッパ２３のパッド２０により下部ローラ８を加圧することによって、Ｘ軸及びＺ軸方向にスライドドア３の振れを抑止することが可能となる。
【００５１】
また、スライドドア３を完全に閉鎖させた場合、閉位置の上部ストッパ１２１のパッド２０により上部ローラ７を加圧することによって、Ｘ軸及びＹ軸方向にスライドドア３の振れを抑止すると共に、閉位置の下部ストッパ１２３のパッド２０により下部ローラ８を加圧することによって、Ｘ軸及びＺ軸方向にスライドドア３の振れを抑止することが可能となる。
【００５２】
ここで、前述したスライドドア３の後方内側面に備えられるリアストッパバーホルダ３３と、ストッパバーホルダ３３と結合するように外側壁２ａに上下方向に備えられるストッパバー３４と、ストッパバー３４に隣接して設けられ、スライドドア３に備えられたロッキングプレート(図示せず)によりロックされるロックストライカ４０とは、本発明の一実施例と実際に同様に適用されるため、以下ではこれらの説明は略し、重複される図面符号は同様に付する。
【００５３】
図４、図６、図７、図８、図９及び図１２に示されたように、本発明のさらに他の実施例による建設装備用運転室は(スライドドア３が完全に開放された場合、上部ストッパ２１、中央ストッパ２２、下部ストッパ２３によりスライドドア３の振れを防止することについて述べる)、
出入口２ｂが形成され、外側面が円弧形状からなる外側壁２ａと、
外側壁２ａの上部、中央及び下部に設けられる上部レール４、中央レール６及び下部レール５と、
上部レール４、中央レール６及び下部レール５に係合される上部ローラ７、中央ローラ９及び下部ローラ８によりスライド移動されることで出入口２ｂを開閉させるスライドドア３と、
スライドドア３が完全に開放される開位置の外側壁２ａに設けられ、スライドドア３が完全に開放されると上部ローラ７に接触することになり、且つ、上部ローラ７との接触時、Ｘ軸方向に変位が生ずるように弾性支持されたパッド２０の加圧によりスライドドア３のＸ軸及びＹ軸方向への振れを防止する開位置の上部ストッパ２１と、
スライドドア３が完全に開放される開位置の外側壁２ａに設けられ、スライドドア３が完全に開放されると中央ローラ９に接触することになり、且つ、中央ローラ９との接触時、Ｘ軸方向に変位が生ずるように弾性支持されたパッド２０の加圧によりＸ軸、Ｙ軸及びＺ軸方向にスライドドア３の振れを防止する開位置の中央ストッパ２２と、
スライドドア３が完全に開放される開位置の外側壁２ａに設けられ、スライドドア３が完全に開放されると下部ローラ８に接触することになり、且つ、下部ローラ８との接触時、Ｘ軸方向に変位が生ずるように弾性支持されたパッド２０の加圧によりＸ軸、Ｙ軸及びＺ軸方向にスライドドア３の振れを防止する開位置の下部ストッパ２３とを含める。
【００５４】
ここで、前述したスライドドア３の後方内側面に備えられるストッパバーホルダ３３と、ストッパバーホルダ３３と結合するように外側壁２ａに上下方向に備えられるストッパバー３４と、ストッパバー３４に隣接して設けられ、スライドドア３に備えられたロッキングプレート(図示せず)によりロックされるロックストライカ４０とは、本発明の一実施例と実際に同様に適用されるため、以下ではこれらの説明は略し、重複図面符号は同様に付する、
【００５５】
前述した上部ストッパ２１、中央ストッパ２２、下部ストッパ２３のうちに少なくとも何れかの一つは、図４Ａに示されたように、外側壁２ａに取り付けられるケース２４と、ケース２４を貫通して固定された棒状のガイド２５に位置移動可能に組み合わせられ、スライドドア３の開方向又は閉方向に傾斜面２０ａが上向きに形設されたパッド２０と、前記パッド２０の前後方向のガイド２５の外側面にそれぞれ設けられ、スライドドア３の全開時又は全閉時、上部ローラ７、中央ローラ９、下部ローラ８のうちに何れかの一つと接触するパッド２０を弾性復元力により加圧することによって、スライドドア３を固定させる弾性部材２６、２７(一例として、圧縮コイルばねが用いられる)とを含める。
【００５６】
図４Ｂに示されたように、スライドドア３が完全に開放される開位置で開放ロックされると、パッド２０は(−)Ｘ軸方向に変位が生じない。これにより、パッド２０が加圧される方向のガイド２５にのみ弾性部材２７を設けることができる(パッド２０の後方にのみ弾性部材２７が設けられた場合をいう)。
【００５７】
図４Ｃに示されたように、前述した弾性部材２６、２７をパッド２０の前後方向のガイド２５にそれぞれ設けるが、パッド２０前方のガイド２５に設けられる弾性部材２６は、パッド２０後方の弾性部材２７より相対的に強度が高く、且つ、設置場所がパッド２０前方のガイド２５の長さの一部に設けられる。つまり、弾性部材２７の強度が低いことから、スライドドア３を少ないパワーでも開放することができるのは云うまでもない。
【００５８】
前述したケース２４は、パッド２０を中心としてケース２４の前後方向に対向するように設けられ、上部ローラ７、中央ローラ９、下部ローラ８のうちに何れかの一つが、スライドドア３の移動によりパッド２０に接触することになれば、パッド２０のＸ軸方向に直線移動をガイドする一対の隔壁部材３５を含める。
【００５９】
前述した上部ストッパ２１、中央ストッパ２２及び下部ストッパ２３は、上部ローラ７、中央ローラ９又は下部ローラ８の個数にそれぞれ対応するように外側壁２ａに設けられる。
【００６０】
前述した上部ストッパ２１は、図５、図６、図１１及び図１２に示されたように、スライドドア３の全開時又は全閉時、パッド２０との接触により上部ローラ７のガイドローラ７ａをＸ軸及びＹ軸方向に加圧するように設けられ、スライドドア３のＸ軸及びＹ軸方向への振れを防止する。
【００６１】
前記下部ストッパ２３は、図５、図８、図１１及び図１２に示されたように、スライドドア３の全開時又は全閉時、パッド２０との接触により第１下部ローラ(下部ローラ８の転がりローラ８ａをいう)をＸ軸及びＺ軸方向に加圧するように設けられ、スライドドア３のＸ軸及びＺ軸方向への振れを防止する第１下部ストッパ２３ａと、スライドドア３の全開時又は全閉鎖時、パッド２０との接触により第２下部ローラ(下部ローラ８のガイドローラ８ｂをいう)をＸ軸及びＹ軸方向に加圧するように設けられ、スライドドア３のＸ軸及びＹ軸方向への振れを防止する第２下部ストッパ２３ｂとを含める。
【００６２】
前述した中央ストッパ２２は、図７及び図１２に示されたように、スライドドア３の全開時、パッド２０との接触により第１中央ローラ(中央ローラ９の転がりローラ９ａをいう)をＸ軸及びＺ軸方向に加圧するように設けられ、スライドドア３のＸ軸及びＺ軸方向への振れを防止する第１中央ストッパ２２ａと、スライドドア３の全開時、パッド２０との接触により第２中央ローラ(中央ローラ９のガイドローラ９ｂをいう)をＸ軸及びＹ軸方向に加圧するように設けられ、スライドドア３のＸ軸及びＹ軸方向への振れを防止する第２中央ストッパ２２ｂとを含める。
【００６３】
前述した上部ストッパ２１、中央ストッパ２２及び下部ストッパ２３は、スライドドア３が完全に開放される開位置の上部レール４、中央レール６及び下部レール５の内側端部にそれぞれ位置するように設けられる。
【００６４】
前述した上部ストッパ２１又は下部ストッパ２３は、スライドドア３が完全に閉鎖される閉位置の上部レール４又は下部レール５の内側端部にそれぞれ位置するように設けられ、上部ストッパ２１又は下部ストッパ２３は、スライドドア３が完全に開放される開位置の上部レール４又は下部レール５の内側端部にそれぞれ位置するように設けられる。
【００６５】
図４及び図１０Ａ、Ｂに示されたように、前述した運転室２とスライドドア３との間に製造偏差が生じたり、又は長期使用によりパッド２０に磨耗が生ずる場合、上部ストッパ２１、中央ストッパ２２及び下部ストッパ２３のうちに何れかの一つを外側壁２ａに対してＸ軸又はＺ軸方向に位置移動させて固定することが可能となるように、ケース２４を外側壁２ａに取り付けるためのブラケット３０に円形又は長孔形状からなる取付孔３１が備えられている。
【００６６】
図５及び図６に示されたように、前述した上部ローラ７は、スライドドア３の開閉時、上部レール４に沿ってＹ軸方向に転動するガイドローラ７ａを含める。
【００６７】
図７に示されたように、前記中央ローラ９は、スライドドア３の開閉時、中央レール６に沿ってＸ軸方向に転動し、スライドドア３の荷重を支持する第１中央ローラ(中央ローラ９の転がりローラ９ａをいう)と、スライドドア３の開閉時、Ｙ軸方向に転動し、中央レール６からスライドドア３が離脱されることを防止する第２中央ローラ(中央ローラ９のガイドローラ９ｂをいう)とを含める。
【００６８】
図８に示されたように、前記下部ローラ８は、スライドドア３の開閉時、下部レール５に沿ってＸ軸方向に転動し、スライドドア３の荷重を支持する第１下部ローラ(下部ローラ８の転がりローラ８ａをいう)と、Ｙ軸方向に転動し、下部レール５からスライドドア３が離脱されることを防止する第２下部ローラ(下部ローラ８のガイドローラ８ｂをいう)とを含める。
【００６９】
以下では、本発明の一実施例による建設装備用運転室の使用例を添付図面に基づいて説明する。
【００７０】
図４乃至図６、図８、図９に示されたように、オペレータによりスライドドア３を開放すべく、運転室２の後方側(つまり、出入口２ｂから遠くなる方向をいう)にスライド移動させる場合、スライドドア３の上部及び下部に形成の上部ローラ７及び下部ローラ８が、外側壁２ａに形成の上部レール４及び下部レール５に沿ってそれぞれスライド移動されることによって、スライドドア３を開放させることが可能となる(図５に仮想線で示されている)。
【００７１】
この際、開放されたスライドドア３の位置は、運転室２の旋回半径内に納められるため、作業空間の狭い市内の小道などで作業中の建設装備のスライドドア３を開放させた上で上部旋回体をスイング駆動する場合でも、作業現場の周辺に隣接した建物などのような障害物に干渉する恐れを無くすことが可能となる。
【００７２】
図６に示されたように、上部ストッパ２１のパッド２０との接触により上部ローラ７を加圧することから、スライドドア３のＸ軸方向又はＹ軸方向への振れや遊動を抑えることが可能となる。
【００７３】
前述したスライドドア３が完全に開放される開位置にスライド移動される場合、上部ローラ７のガイドローラ７ａは、上部ストッパ２１のパッド２０の傾斜面２０ａに接触することになり、Ｘ軸方向(運転室２の前後方向、又はスライドドア３の開放方向をいう)にさらに前進することが不可能となる。
【００７４】
ガイドローラ７ａとの接触により、パッド２０は、ガイド２５に沿って前方又は後方に移動されることになり、Ｘ軸方向に変位が生ずる。この際、図面上、パッド２０の後方に設けられた弾性部材２７は圧縮力を受けると共に、図面上、パッド２０の前方に設けられた弾性部材２６は引張力を受けることになる。
【００７５】
前述した上部ストッパ２１のガイド２５に弾設された弾性部材２６、２７の弾性復元力によりパッド２０を固定せしめる。位置固定されたパッド２０の傾斜面２０ａの構造によりガイドローラ７ａを、図面上、Ｘ軸方向(運転室２の前後方向)に加圧することから、スライドドア３のＸ軸方向への振れや遊動を抑止することが可能となる。
【００７６】
これと同時に、位置固定されたパッド２０との接触により上部ローラ７のガイドローラ７ａを、図面上、Ｙ軸方向(運転室２の左右方向をいう)に加圧することから、スライドドア３のＹ軸方向への振れや遊動を抑止することが可能となる。
【００７７】
したがって、前述したスライドドア３を全開位置にスライド移動させる場合、上部ストッパ２１のパッド２０との接触により上部ローラ７をＸ軸及びＹ軸方向に加圧することによって、スライドドア３のＸ軸及びＹ軸方向への振れや遊動を抑止することが可能となる。
【００７８】
図５及び図８に示されたように、下部ストッパ２３のパッド２０との接触により下部ローラ８を加圧することによって、スライドドア３のＸ軸、Ｙ軸又はＺ軸方向への振れや遊動を抑止することが可能となる。
【００７９】
前述したスライドドア３が完全に開放される開位置に移動される場合、下部ローラ８の第１下部ローラ(下部ローラ８の転がりローラ８ａをいう)が、第１下部ストッパ２３ａのパッド２０の傾斜面２０ａに接触されることによって、Ｘ軸方向(運転室２の前後方向、又はスライドドア３の開放方向)へさらに前進することが不可能となる。
【００８０】
転がりローラ８ａとの接触により、パッド２０は、ガイド２５に沿ってＸ軸方向に移動されることになり、変位が生ずる。この時、パッド２０の左右側に設けられた一対の弾性部材２６、２７の弾性復元力によりパッド２０の位置が決まる。
【００８１】
位置固定されたパッド２０の傾斜面２０ａの構造により、転がりローラ８ａを、図面上、Ｘ軸方向(運転室２の前後方向)に加圧することから、スライドドア３のＸ軸方向への振れや遊動を防止することが可能となる。
【００８２】
これと同時に、位置固定されたパッド２０との接触により、転がりローラ８ａを、図面上、Ｚ軸方向(運転室２の上下方向)に加圧することから、スライドドア３のＺ軸方向への振れや遊動を防止することが可能となる。
【００８３】
一方、下部ローラ８の第２下部ローラ(下部ローラ８のガイドローラ８ｂをいう)は、第２下部ストッパ２３ｂのパッド２０の傾斜面２０ａに接触されることによって、Ｘ軸方向(運転室２の前後方向)にさらに前進することが不可能となる。
【００８４】
ガイドローラ８ｂとの接触により、パッド２０は、ガイド２５に沿ってＸ軸方向に移動されることになり、変位が生ずる。この際、パッド２０の左右側に設けられた弾性部材２６、２７の弾性復元力によりパッド２０の位置が決まる。
【００８５】
位置固定されたパッド２０の傾斜面２０ａの構造によりガイドローラ８ｂを、図面上、Ｘ軸方向(運転室２の前後方向)に加圧することから、スライドドア３のＸ軸方向への振れや遊動を防止することができる。
【００８６】
これと同時に、位置固定されたパッド２０との接触により、下部ローラ８のガイドローラ８ｂを、図面上、Ｙ軸方向(運転室２の左右方向)に同時に加圧することから、スライドドア３のＹ軸方向への振れや遊動を防止することができる。
【００８７】
したがって、スライドドア３を全開させた場合、第１下部ストッパ２３ａのパッド２０との接触により、第１下部ローラ(転がりローラ８ａをいう)をＸ軸及びＺ軸方向に加圧することから、スライドドア３のＸ軸及びＺ軸方向への振れや遊動を抑えることが可能となる。これと同時に、第２下部ストッパ２３ｂのパッド２０との接触により、第２下部ローラ(ガイドローラ８ｂをいう)をＸ軸及びＹ軸方向に加圧することから、スライドドア３のＸ軸及びＹ軸方向への振れや遊動を抑えることができる。
【００８８】
図９に示されたように、スライドドア３を全開位置に移動させた場合、出入口２ｂから遠くなる位置のスライドドア３の内側面に設置のプラスチック材のリアストッパバーホルダ３３の結合片３３ａが、外側壁２ａに設けられたストッパバー３４に結合される。
【００８９】
これにより、スライドドア３の全開位置でストッパバーホルダ３３がストッパバー３４にロックされることによって、図面上、スライドドア３がＸ軸及びＹ軸方向に振れたり、又は遊動されることを防止することができる。
【００９０】
この時、前述したストッパバー３４とストッパバーホルダ３３とが結合すると、ストッパバー３４に隣接して設けられたロックストライカ４０と、ストッパバーホルダ３４に隣接して設けられたロッキングプレート(図示せず)とのロックにより、スライドドア３を全開位置でロックさせることができる。
【００９１】
また、スライドドア３が全開位置に移動される場合、スライドドア３の外側面が外側壁２ａの上・下部に設けられたサポータ３２に密着されることになる。このことから、スライドドア３のＸ軸方向への振れや遊動を防止することが可能となる。
【００９２】
図４、６、７、８及び図１２に示されたように(本発明のさらに他の実施例による建設装備用運転室をいう)、スライドドア３を、上部、中央、下部レール４、５、６に沿って全開位置にスライド移動させる場合、スライドドア３の上部ローラ７、中央ローラ９、下部ローラ８は、外側壁２ａの上部、中央、下部に設けられた上部ストッパ２１、中央ストッパ２２、下部ストッパ２３のそれぞれのパッド２０の傾斜面２０ａに接触することになる。
【００９３】
この際、前述した上部ストッパ２１と下部ストッパ２３は、本発明の一実施例と実際に同様に適用されるため、これらの詳細な説明は略する。
【００９４】
図７及び図１２に示されたように、中央ストッパ２２のパッド２０との接触により中央ローラ９を加圧して、スライドドア３のＸ軸、Ｙ軸及びＺ軸方向への振れ又は遊動を防止することができる。
【００９５】
前述したスライドドア３が全開位置に移動される場合、中央ローラ９の第１中央ローラ(中央ローラ９の転がりローラ９ａをいう)が、第１中央ストッパ２２ａのパッド２０の傾斜面２０ａに接触されることによって、Ｘ軸方向(運転室２の前後方向又はスライドドア３が開放される方向)にさらに前進することが不可能となる。
【００９６】
転がりローラ９ａとの接触により、パッド２０は、ガイド２５に沿ってＸ軸方向に移動されることになり、変位が生ずる。この際、パッド２０の左右側に設けられた弾性部材２６、２７の弾性復元力によりパッド２０の位置が決まる。
【００９７】
位置固定されたパッド２０の傾斜面２０ａの構造により、転がりローラ９ａを、図面上、Ｘ軸方向(運転室２の前後方向)に加圧することから、スライドドア３のＸ軸方向への振れ又は遊動を防止することができる。
【００９８】
これと同時に、位置が固定されたパッド２０との接触により、転がりローラ９ａを、図面上、Ｚ軸方向(運転室２の上下方向)に加圧することから、スライドドア３のＺ軸方向への振れ又は遊動を防止することができる。
【００９９】
一方、中央ローラ９の第２中央ローラ(中央ローラ９のガイドローラ９ｂをいう)は、第２中央ストッパ２２ｂのパッド２０の傾斜面２０ａに接触されることによって、Ｘ軸方向(運転室２の前後方向又はスライドドア３の開放方向)にさらに前進することが不可能となる。
【０１００】
ガイドローラ９ｂとの接触により、パッド２０は、ガイド２５に沿ってＸ軸方向に移動することになり、変位が生ずる。この際、パッド２０の左右側に設けられた弾性部材２６、２７の弾性復元力によりパッド２０の位置が決まる。
【０１０１】
位置固定されたパッド２０の傾斜面２０ａの構造により、ガイドローラ９ｂを、図面上、Ｘ軸方向(運転室２の前後方向)に加圧することから、スライドドア３のＸ軸方向への振れ又は遊動を防止することができる。
【０１０２】
これと同時に、位置固定されたパッド２０との接触により、ガイドローラ９ｂを、図面上、Ｙ軸方向(運転室２の左右方向)に加圧することから、スライドドア３のＹ軸方向への振れ又は遊動を防止することができる。
【０１０３】
従って、スライドドア３の全開時、第１中央ストッパ２２ａのパッド２０との接触により、第１中央ローラ(転がりローラ９ａをいう)をＸ軸及びＺ軸方向に加圧することから、スライドドア３のＸ軸及びＺ軸方向への振れ又は遊動を抑える。同時に、第２中央ストッパ２２ｂのパッド２０との接触により、第２中央ローラ(ガイドローラ９ｂをいう)をＸ軸及びＹ軸に加圧することから、スライドドア３のＸ軸及びＹ軸方向への振れ又は遊動を抑える。
【０１０４】
図１０Ａ、Ｂに示されたように、外側壁２ａとスライドドア３との間で製造偏差が生じたり、又はスライドドア３を繰り返して開閉させることによって、プラスチック材からなるパッド２０に磨耗が発生する。この時、上部ストッパ２１、中央ストッパ２２及び下部ストッパ２３のうちに、何れかの一つを外側壁２ａに取り付けるための取付部材３８をＸ軸又はＺ軸方向に微細に位置移動させることによって、上部ローラ７、中央ローラ９、下部ローラ８に対するパッド２０の固定位置をＸ軸又はＺ軸方向に調整して固定することが可能となる。
【０１０５】
即ち、パッド２０が結合されたケース２４を外側壁２ａに固定するための取付部材３８が結合される取付孔３１が、ブラケット３０に長孔形状(スロット)に形成されていることによって、取付孔３１内で取付部材３８をＸ軸方向(図１０Ａに仮想線で示されている)、又はＺ軸方向(図１０Ｂに仮想線で示されている)に微細に位置移動させ、ケース２４を固定せしめることが可能となる。
【０１０６】
これにより、スライドドア３の全開状態又は全閉状態において、運転室２に生ずる衝撃又は振動により、スライドドア３の微細な振れを常時防止することができる。
【０１０７】
本発明の実施例による建設装備用運転室は、建設装備に搭載される運転室を一例にして説明したが、ドアがスライド移動自在に開閉されるバン、ワゴン車などに適用し、ドアを閉じた状態で走行すると生じえるドアのＸ軸、Ｙ軸、Ｚ軸方向への振れ又は遊動を防止することができるのはいうまでもない。
【図面の簡単な説明】
【０１０８】
【図１】従来技術による運転室の斜視図である。
【図２】図１に示されたスライドドアの側面図である。
【図３Ａ】図２に示されたＳ‐Ｓ線における断面図であって、スライドドアを閉鎖した状態の図面である。
【図３Ｂ】図２に示されたＴ‐Ｔ線における断面図であって、スライドドアを開放させた状態の図面である。
【図３Ｃ】図１に図示の中央レール及び中央ローラの断面図である。
【図３Ｄ】図３Ｂの円部位の拡大図である。
【図４Ａ】本発明の一実施例による建設装備用運転室に取り付けられるストッパの斜視図である。
【図４Ｂ】本発明の一実施例による建設装備用運転室に取り付けられるストッパの変形例示図である。
【図４Ｃ】本発明の一実施例による建設装備用運転室に取り付けられるストッパの変形例示図である。
【図５】本発明の一実施例によるストッパが取り付けられた運転室の斜視図である。
【図６】図５に図示の上部ストッパの使用状態図である。
【図７】図１２に図示の中央ストッパの使用状態図である。
【図８】図５に図示の下部ストッパの使用状態図である。
【図９】図５に図示のストッパバーホルダとストッパバーの要部抜粋図である。
【図１０Ａ】図４に示されたストッパの固定位置をＸ軸方向に位置移動させて固定することを説明するための図面である。
【図１０Ｂ】図４に示されたストッパの固定位置をＺ軸方向に位置移動させて固定することを説明するための図面である。
【図１１】本発明の他の実施例による建設装備用運転室の斜視図である。
【図１２】本発明のさらに他の実施例による建設装備用運転室の斜視図である。
【符号の説明】
【０１０９】
２  運転室
３  スライドドア
４  上部レール
５  下部レール
６  中央レール
７  上部ローラ
８  下部ローラ
９  中央ローラ
２０  パッド
２１  開位置の上部ストッパ
２２  開位置の中央ストッパ
２３  開位置の下部ストッパ
２４  ケース
２５  ガイド
２６、２７  弾性部材
３０  ブラケット
３１  取付孔
３２  サポータ
３３  ストッパバーホルダ
３４  ストッパバー
３５  隔壁部材
【図１】
2008120365.tif 000003
【図２】
2008120365.tif 000004
【図３Ａ】
2008120365.tif 000005
【図３Ｂ】
2008120365.tif 000006
【図３Ｃ】
2008120365.tif 000007
【図３Ｄ】
2008120365.tif 000008
【図４Ａ】
2008120365.tif 000009
【図４Ｂ】
2008120365.tif 000010
【図４Ｃ】
2008120365.tif 000011
【図５】
2008120365.tif 000012
【図６】
2008120365.tif 000013
【図７】
2008120365.tif 000014
【図８】
2008120365.tif 000015
【図９】
2008120365.tif 000016
【図１０Ａ】
2008120365.tif 000017
【図１０Ｂ】
2008120365.tif 000018
【図１１】
2008120365.tif 000019
【図１２】
2008120365.tif 000020